(57)【要約】【課題】コンパクトな構成でありながら、コリメートレンズを安定して保持できる光ピックアップ装置を提供する。【解決手段】モニタ受光素子７をハウジング１に取り付けるための保持部材２０のばね部２０ｃを用いて、ホルダ２の当接部２ｂをハウジング１に向かって付勢するので、コリメートレンズ３の光軸方向の位置調整を可能としながらも、部品の共通化により光ピックアップ装置のコンパクト化、低コスト化を図ることができる。【選択図】図３
2009087495.tif 000002
【特許請求の範囲】
【請求項１】
光源と、前記光源からの出射光を反射させる立上げミラーと、対物光学素子を含む集光光学系と、前記立上げミラーと前記対物光学素子との間に配置されたコリメートレンズ及び前記コリメートレンズを保持するホルダを含む光学素子ユニットと、前記光源からの光束の一部を入射するモニタ受光素子とが、ハウジングに取り付けられてなる光ピックアップ装置であって、
前記モニタ受光素子を前記ハウジングに取り付けるための保持部材の一部が、前記光学素子ユニットを前記ハウジングに向かって付勢していることを特徴とする光ピックアップ装置。
【請求項２】
前記光源から出射された光束の一部が前記立ち上げミラーを透過し、前記モニタ受光素子は、透過した前記光束の一部を受光することを特徴とする請求項１に記載の光ピックアップ装置。
【請求項３】
前記ホルダは、前記コリメートレンズを保持する保持部と、前記ハウジングに当接し前記保持部を所定方向に案内する当接部とからなり、前記モニタ受光素子は、前記当接部と前記立ち上げミラーとの間に配置されていることを特徴とする請求項１又は２に記載の光ピックアップ装置。
【請求項４】
前記ホルダは、前記コリメートレンズを保持する保持部と、前記ハウジングに当接し前記保持部を所定方向に案内する当接部とからなり、前記当接部は、前記モニタ受光素子と前記立ち上げミラーとの間に配置され、光束を透過する開口を有していることを特徴とする請求項１又は２に記載の光ピックアップ装置。
【請求項５】
前記保持部材は、電気的絶縁性を有する樹脂から形成されていることを特徴とする請求項１〜４のいずれかに記載の光ピックアップ装置。
【請求項６】
前記保持部材は、前記モニタ受光素子を保持する保持部と、前記保持部から延在し前記光学素子ユニットを付勢するばね部とを有し、前記ばね部は間隔を置いて形成されていることを特徴とする請求項１〜５のいずれかに記載の光ピックアップ装置。
【請求項７】
前記モニタ受光素子は、フレキシブル基板に取り付けられており、前記保持部材は、前記フレキシブル基板を補強するように密着していることを特徴とする請求項１〜６のいずれかに記載の光ピックアップ装置。
【発明の詳細な説明】
【技術分野】
【０００１】
本発明は、光ピックアップ装置に関し、特に、光ディスクに対して情報の記録及び／又は再生を行うことができ、コンパクトな構成を有する光ピックアップ装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの高密度光ディスクに情報の記録及び／又は再生を行える光ピックアップ装置の開発も急速に進んでいる。
【特許文献１】特開平０９−４４８９１号公報
【特許文献２】特開２００５−１４９６０７号公報
【発明の開示】
【発明が解決しようとする課題】
【０００３】
ところで、高密度光ディスクに対して情報の記録及び／又は再生を行う場合、４００ｎｍ前後の光束を出射する半導体レーザを用いることが多いが、上市されている半導体レーザは、出射光束の波長が基準波長に対して大きくばらつくという問題がある。出射光束の波長が基準波長に対して大きくシフトすると、集光スポットに球面収差が発生し、波長のばらつきに相応して光ピックアップ装置個々で記録／再生性能がばらつき、これが問題となる恐れがある。また、光ピックアップ装置の集光光学系を構成する光学素子、特に対物レンズについては、製造誤差に起因する球面収差を生じやすく、これが記録／再生性能を劣化させる要因となる場合がある。このような球面収差を補正する一つの方法として、組立時に半導体レーザを集光光学系の光軸方向に位置調整することも考えられる。
【０００４】
しかしながら、半導体レーザを光軸方向に動かすと、光検出器上における光ディスクからの反射光の光軸方向の集光位置もずれてしまう。このずれを、光ディスク反射光を光検出器に集光するサーボレンズの位置を調整して修正することもできるが、それにより光ディスクから光検出器に至る光学系の倍率が変わってしまうという問題がある。
【０００５】
一方、光検出器自体を光軸方向に調整して修正することもできるが、光検出器は光軸直交方向の位置調整も必要なことから、光ピックアップ本体に対して接着材のみによって保持しなくてはならず、その結果、前述の球面収差のばらつきに相応して光ピックアップ本体と光検出器との距離にばらつきが生じ、温度等の環境変化に対する光検出器の位置の安定性について、光ピックアップ個々で差が生じるという問題がある。
【０００６】
また、光ピックアップ装置全体での球面収差の補正は、実際に光ディスクの情報記録面で反射した光束を、対物レンズを含む集光光学系を介して光検出器で受光して、その信号を利用して行うことが好ましいが、半導体レーザの光軸方向の調整を行う場合、光軸直交方向の動きも光検出器上の光スポットの動きとなるため、信号が安定せず調整が困難となる問題がある。
【０００７】
これに対し、例えば光ピックアップ装置の組立時に、コリメートレンズを光軸方向位置を調整して対物レンズに入射させる光束の発散度を変更することにより、光ディスクの情報記録面における球面収差の量を許容範囲に収めることも考えられる。
【０００８】
ここで、コリメートレンズを光ピックアップ装置に設ける場合、コリメートレンズの焦点距離が長い方が、半導体レーザとコリメートレンズとの位置関係における誤差感度上有利であり、コリメートレンズを対物レンズと立上げミラーの間に配置すれば、長焦点距離のコリメートレンズを用いながらコンパクトなレイアウトが可能となる。光ディスクの情報記録面に直交する方向における寸法の許容度が比較的大きな光ピックアップ装置では、このようなレイアウトを選ぶ場合が多い（特許文献１参照）。
【０００９】
また、このようなレイアウトでは、半導体レーザからの光束が光ディスクへ向かう系（往路）と、光ディスクからの反射光が光検出器へ向かう系（復路）との共通光路中にコリメートレンズを設けるので、球面収差の補正のためにコリメートレンズを光軸方向に動かしても、光検出器を光軸方向に動かして修正する必要がないので、前述した半導体レーザを動かしたときの問題を回避できるメリットがある。
【００１０】
かかる場合、どのようにしてコリメートレンズの位置調整を行うかという問題がある。これに対し、特許文献２には、レンズホルダによって保持されたコリメートレンズを光軸方向に調整可能な構成が開示されている。しかしながら、特許文献２のレンズホルダは、一体的に形成されたばね片によって支持されているので、レンズホルダの形状が複雑でありコスト的に不利であることの他、ばね片の光軸方向の長さが短いため、レンズホルダをひっかかり無くスムーズに動かすことが難しく、又ばね片の当接面を後加工で平滑にしないと、ばね片の撓みによりホルダの動きが阻害され、よってコリメートレンズと半導体レーザ、対物レンズとの位置関係を精度良く維持しつつ、コリメートレンズを光軸方向に高精度に調整するのが難しいという問題がある。
【００１１】
一方、特許文献２の光ピックアップ装置に、半導体レーザのパワーを監視するモニタ受光素子を設ける場合、半導体レーザからの光束を対物レンズ側に折り曲げる立ち上げミラーの背後に設けることが多い。しかるに、このようにモニタ受光素子を配置した場合、光束の有効径を確保しつつ、立ち上げミラーやモニタ受光素子の配置を決めると、ばね片の十分な当接長さを確保できず、位置決めが不安定となるという問題もある。
【００１２】
本発明は、かかる問題点に鑑みて成されたものであり、コンパクトな構成でありながら、コリメートレンズを安定して保持できる光ピックアップ装置を提供することを目的とする。
【課題を解決するための手段】
【００１３】
請求項１に記載の光ピックアップ装置は、光源と、前記光源からの出射光を反射させる立上げミラーと、対物光学素子を含む集光光学系と、前記立上げミラーと前記対物光学素子との間に配置されたコリメートレンズ及び前記コリメートレンズを保持するホルダを含む光学素子ユニットと、前記光源からの光束の一部を入射するモニタ受光素子とが、ハウジングに取り付けられてなる光ピックアップ装置であって、
前記モニタ受光素子を前記ハウジングに取り付けるための保持部材の一部が、前記光学素子ユニットを前記ハウジングに向かって付勢していることを特徴とする。
【００１４】
本発明によれば、前記モニタ受光素子を前記ハウジングに取り付けるための保持部材の一部を用いて、前記光学素子ユニットを前記ハウジングに向かって付勢するので、前記コリメートレンズの光軸方向の位置調整を可能としながらも、部品の共通化により光ピックアップ装置のコンパクト化、低コスト化を図ることができる。調整後には、前記光学素子ユニットを前記ハウジングに接着すると好ましい。
【００１５】
請求項２に記載の光ピックアップ装置は、請求項１に記載の発明において、前記光源から出射された光束の一部が前記立ち上げミラーを透過し、前記モニタ受光素子は、透過した前記光束の一部を受光することを特徴とするので、前記モニタ受光素子に向かって分岐させるための分岐手段を別個に設ける必要がなく、光ピックアップ装置のコンパクト化をはかることができる。但し、必ずしも立ち上げミラーを通過した光束が入射する位置に、前記モニタ受光素子を用いる必要はない。
【００１６】
請求項３に記載の光ピックアップ装置は、請求項１又は２に記載の発明において、前記ホルダは、前記コリメートレンズを保持する保持部と、前記ハウジングに当接し前記保持部を所定方向に案内する当接部とからなり、前記モニタ受光素子は、前記当接部と前記立ち上げミラーとの間に配置されていることを特徴とするので、前記立ち上げミラーに発散光束が入射する場合など、前記モニタ受光素子に入射する光束の光量を増大できる。ここで、「当接部」とは、前記ホルダが前記保持部材から付勢されたとき、少なくとも前記コリメートレンズの光軸方向に移動可能な状態で前記ハウジングに当接する部位をいう。
【００１７】
請求項４に記載の光ピックアップ装置は、請求項１又は２に記載の発明において、前記ホルダは、前記コリメートレンズを保持する保持部と、前記ハウジングに当接し前記保持部を所定方向に案内する当接部とからなり、前記当接部は、前記モニタ受光素子と前記立ち上げミラーとの間に配置され、光束を透過する開口を有していることを特徴とするので、前記当接部を極力前記立ち上げミラーに近づけることができ、それにより前記コリメートレンズを光軸方向に位置調整する際に、その光軸のシフト誤差やチルト誤差を抑制できる。
【００１８】
請求項５に記載の光ピックアップ装置は、請求項１〜４のいずれかに記載の発明において、前記保持部材は、電気的絶縁性を有する樹脂から形成されていることを特徴とするので、前記モニタ受光素子の端子や配線等に接触しても影響がなく、形状の自由度を高めることができる。
【００１９】
請求項６に記載の光ピックアップ装置は、請求項１〜５のいずれかに記載の発明において、前記保持部材は、前記モニタ受光素子を保持する保持部と、前記保持部から延在し前記光学素子ユニットを付勢するばね部とを有し、前記ばね部は間隔を置いて形成されていることを特徴とするので、安定した付勢を実現しつつ前記ばね部の間を通して光束を前記モニタ受光素子に受光することができる。
【００２０】
請求項７に記載の光ピックアップ装置は、請求項１〜６のいずれかに記載の発明において、前記モニタ受光素子は、フレキシブル基板に取り付けられており、前記保持部材は、前記フレキシブル基板を補強するように密着していることを特徴とするので、別個に前記フレキシブル基板を補強する必要がなく、更に光ピックアップ装置のコンパクト化を図ることができる。
【発明の効果】
【００２１】
本発明によれば、コンパクトな構成でありながら、コリメートレンズを安定して保持できる光ピックアップ装置を提供することができる。
【発明を実施するための最良の形態】
【００２２】
以下、図面を参照して、本発明の実施の形態をさらに詳細に説明する。図１は、本実施の形態にかかる光ピックアップ装置を概略的に示す断面図である。図２は、図１の構成をII-II線を含む面で切断して矢印方向に見た断面図である。図３は、図１の光ピックアップ装置の矢印IIIで示す部位を拡大した図である。図４は、図３の構成を矢印IV方向に見た図である。図５は、ホルダと、保持部材と、モニタ受光素子とを分解して示す斜視図である。
【００２３】
本実施の形態の光ピックアップ装置は、ＨＤ  ＤＶＤ、ＤＶＤ、ＣＤの３種類の光ディスクに対して情報の再生を行えるようになっているが、トラッキング用の光束を生成する回折格子等を追加することにより、情報の記録も行うことが可能である。更に、少なくともその内の１種類の光ディスクに対して情報の記録／再生を行うことができれば足りる。
【００２４】
図３において、ハウジング１の上面には、底面１ｂを有する凹部１ａと、底面１ｂに対して直角に交差する支持面１ｃとが形成され、底面１ｂには主開口１ｄが形成され、支持面１ｃには副開口１ｅが形成されている。又、支持面１ｃを挟んで対向する側に、対向面１ｆが形成されている。
【００２５】
図５に示すように、ホルダ２は、コリメートレンズ３を開口内に保持する保持部２ａと、保持部２ａの一端に連結され、コリメートレンズ３の光軸方向に延在する板状の当接部２ｂとを有する。当接部２ｂのコリメートレンズ３側の面において、中央に形成された貫通開口２ｃを挟んで一方（図５で左方）には、半円筒状のガイド凸部２ｄが上下に延在するように形成され、他方（図５で右方）には半球状の支持凸部２ｅが形成されている。ホルダ２は、樹脂材料から一体的に形成されており、軽く振動衝撃に対して有利な構成であり、当接部２ｂの両面の平面度を容易に向上できる。但し、ホルダ２は、コリメートレンズ３と同一の樹脂から一体的に形成されても良い。ホルダ２とコリメートレンズ３とで光学素子ユニットを構成する。
【００２６】
保持部材２０は、樹脂材料から一体的に形成されており、保持部である矩形板状のベース２０ａと、ベース２０ａの上端から略直角方向に延在する板部２０ｂと、板部２０ｂから間隔を置いて二股状にベース２０ａに沿って下方に延在するばね部２０ｃとを有する。ばね部２０ｃの中央は、外方に突き出すように「く」字状に曲がっている。モニタ受光素子７は、フレキシブル基板７ａの表面に接着されている。
【００２７】
組み付け時には、まずフレキシブル基板７ａの裏面に、ベース２０ａのばね部２０ｃ側の面を密着するようにして保持部材２０を両面テープ等で貼り付ける。すると、図３に示すように、モニタ受光素子７の上方に板部２０ｂが位置し、ばね部２０ｃがモニタ受光素子７の前方（受光面側）に回り込むようになるが、ばね部２０ｃは二股状であるため、モニタ受光素子７に入射する光束を遮ることがない。ベース２０ａは、フレキシブル基板７ａに密着することで、その補強の機能を有するため、取り扱いや組付が容易となる。
【００２８】
このようにモニタ受光素子７を組み付けた保持部材２０を、図３に示すように、ハウジング１の下方より押し込んで、ベース２０ａの裏面（モニタ受光素子７と反対側）を、ハウジング１の対向面１ｆに密着させる。このとき、保持部材２０の板部２０ｂは、対向面１ｆの上端を規定する段部１ｇに当接してそれ以上の侵入が制限される。かかる状態で、保持部材２０をハウジング１に接着する。
【００２９】
次いで、対向面１ｆと支持面１ｃとの間に、当接部２ｂを差し入れるようにして、ホルダ２を挿入し、コリメートレンズ３を保持した保持部２ａを、凹部１ａ内に配置する。このとき、図４に示すように、支持面１ｃに形成された上下に延在するテーパ断面溝１ｈに、ホルダ２のガイド凸部２ｄが係合し、且つ支持面１ｃに支持凸部２ｅが当接することで、支持面１ｃに対してコリメートレンズ３の光軸が、後述する対物レンズ１０の光軸と一致するように位置決めされる。
【００３０】
対向面１ｆと支持面１ｃとの間に挿入した当接部２ｂの背面には、保持部材２０のばね部２０ｃが弾性変形しつつ当接するので、間隔を置いたばね部２０ｃが、ホルダ２を支持面１ｃに向かって安定して付勢することにより（図４参照）、コリメートレンズ３の光軸と、対物レンズ１０の光軸とは一致した状態に維持される。これにより、コリメートレンズ３の光軸方向の位置調整を行うためにホルダ２を変位させたときも、テーパ断面溝１ｈに、ガイド凸部２ｄが案内されることで、両光軸のズレは生じないようになっている。コリメートレンズ３の位置調整後に、ホルダ２はハウジング１に接着固定される。
【００３１】
本実施の形態によれば、モニタ受光素子７をハウジング１に取り付けるための保持部材２０のばね部２０ｃを用いて、ホルダ２の当接部２ｂをハウジング１に向かって付勢するので、コリメートレンズ３の光軸方向の位置調整を可能としながらも、部品の共通化により光ピックアップ装置のコンパクト化、低コスト化を図ることができる。
【００３２】
次に、本実施の形態にかかる光ピックアップ装置の動作について説明する。以下に述べる光ピックアップ装置の構成要素は、直接もしくは間接的にハウジング１に取り付けられている。図２において、ＨＤ  ＤＶＤから情報の再生を行う場合、光源である第１半導体レーザ５を発光させると、そこから出射された波長４０５ｎｍ前後のレーザ光束は、青紫色用偏光ビームスプリッタ６で反射され、更に立ち上げミラー４で反射されるが、一部は立ち上げミラー４を通過する。かかる通過光は、支持面１ｃの副開口１ｅを通過し、ホルダ２の貫通開口２ｃを通過し、保持部材２０の二股状ばね部２０ｃの間を通過して、モニタ受光素子７で検出される。受光量に応じてモニタ受光素子７から出力された信号は、フレキシブル基板７ａを介して外部の回路（不図示）に出力されて、第１半導体レーザ５のパワーが制御される。立ち上げミラー４で反射された光束は、コリメートレンズ３，λ／４波長板９を通過し、対物レンズ（対物光学素子ともいう）１０を介して、ＨＤ  ＤＶＤの情報記録面に集光される。
【００３３】
ＨＤ  ＤＶＤの情報記録面から反射した光束は、対物レンズ１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＨＤ  ＤＶＤから情報の再生を行うことができる。
【００３４】
ここで、光検出器１３上での光スポットの形状変化、強度分布変化を検出して、合焦検出やトラック検出を行う。この検出に基づいて、第１半導体レーザ５からの光束をＨＤ  ＤＶＤの情報記録面上に結像するように、アクチュエータ１４により、対物レンズ１０をボビンと一体で、フォーカシング、トラッキング駆動できるようになっている。
【００３５】
ＤＶＤから情報の再生を行う場合、２レーザ１パッケージ１５内の第２半導体レーザを発光させると、そこから出射された波長６６０ｎｍ前後のレーザ光束は、ＣＤ用回折格子１６を通過し、偏光ビームスプリッタ１１で反射され、青紫色用偏光ビームスプリッタ６を通過し、更に立ち上げミラー４で反射されるが、一部は立ち上げミラー４を通過してモニタ受光素子７で検出される。立ち上げミラー４で反射された光束は、コリメートレンズ３，λ／４波長板９を通過し、対物レンズ１０を介して、ＤＶＤの情報記録面に集光される。
【００３６】
ＤＶＤの情報記録面から反射した光束は、対物レンズ１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＤＶＤから情報の再生を行うことができる。
【００３７】
ここで、光検出器１３上での光スポットの形状変化、強度分布変化を検出して、合焦検出やトラック検出を行う。この検出に基づいて、第２半導体レーザからの光束をＤＶＤの情報記録面上に結像するように、アクチュエータ１４により、対物レンズ１０をボビンと一体で、フォーカシング、トラッキング駆動できるようになっている。
【００３８】
ＣＤから情報の再生を行う場合、２レーザ１パッケージ１５内の第３半導体レーザを発光させると、そこから出射された波長７８５ｎｍ前後のレーザ光束は、ＣＤ用回折格子１６に入射して、トラッキング信号用の±１次回折光を生成する。かかるレーザ光束は、偏光ビームスプリッタ１１で反射され、青紫色用偏光ビームスプリッタ６を通過し、更に立ち上げミラー４で反射されるが、一部は立ち上げミラー４を通過してモニタ受光素子７で検出される。立ち上げミラー４で反射された光束は、コリメートレンズ３，λ／４波長板９を通過し、対物レンズ１０を介して、ＣＤの情報記録面に集光される。
【００３９】
ＣＤの情報記録面から反射した光束は、対物レンズ１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＣＤから情報の再生を行うことができる。
【００４０】
ここで、光検出器１３上での光スポットの形状変化、強度分布変化を検出して、合焦検出やトラック検出を行う。この検出に基づいて、第３半導体レーザからの光束をＣＤの情報記録面上に結像するように、アクチュエータ１４により、対物レンズ１０をボビンと一体で、フォーカシング、トラッキング駆動できるようになっている。
【００４１】
図６は、本実施の形態の変形例を示す図である。図６においては、保持部材２０’のベース２０ａの両側縁に、先端が鈎状のアーム２０ｄ、２０ｄが片持ち状に一体形成されてなる。一方、ハウジング１の対向面１ｆの両側を規定する側壁には、凹部１ｊ、１ｊが形成されている。組付時に、モニタ受光素子７を接着した保持部材２０’を、図６の矢印に示すように、ハウジング１の下方より押し込んでゆくと、対向面１ｆの両側壁に当接したアーム２０ｄ、２０ｄが弾性変形しながら摺動し、最終的に先端の鈎部が凹部１ｊ、１ｊに係合することとなる。かかる状態で、保持部材２０’はハウジング１より脱落することが抑制され、接着材を用いることなく保持部材２０’の組み付けが可能となる。それ以外の構成については、上述した実施の形態と同様である。尚、保持部材とハウジングの固定に、ねじを用いても良い。
【００４２】
図７は、本実施の形態の別な変形例を示す図である。保持部材２０”のベース２０ａには、モニタ受光素子７よりわずかにサイズの小さな矩形開口２０ｅが形成されている。かかる矩形開口２０ｅに、背面側からモニタ受光素子７を嵌め込むことで矩形開口２０ｅが弾性変形し、これにより保持部材２０”にモニタ受光素子７を保持することができる。フレキシブル基板７ａは、モニタ受光素子７が嵌め込まれた保持部材２０”をハウジング１に組み付けたときに、対向面１ｆとベース２０ａとの間に挟持されることとなるが、ベース２０ａに両面テープ等で接着しても良い。それ以外の構成については、上述した実施の形態と同様である。
【００４３】
図８は、第２の実施の形態を示す図３と同様な図である。図９は、第２の実施の形態に用いるホルダの斜視図である。図１０は、図８の構成を矢印X方向に見た図である。本実施の形態においては、ホルダ２’は、図５に示す構成と類似しているが、ガイド凸部２ｄと支持凸部２ｅとは、当接部２ｂの裏面（コリメートレンズ３から離れた面）に形成されている。
【００４４】
組付時には、図５に示す保持部材２０の天地を逆にして、ベース２０ａの背面にフレキシブル基板７ａを接着し、かかるベース２０ａをハウジング１の支持壁１ｃ’の立ち上げミラー４側の面に接着してなる（図８）。従って、モニタ受光素子７は、支持壁１ｃ’より立ち上げミラー４側に配置されることとなる。一方、支持壁１ｃ’の下縁に保持部材２０の板部２０ｂが当接したときに、これを回り込むようにしてばね部２０ｃが対向面１ｆ側に向かって延在するようになる。
【００４５】
次いで、対向面１ｆと支持壁１ｃ’との間に、当接部２ｂを差し入れるようにして、ホルダ２’を挿入する。このとき、図１０に示すように、対向面１ｆに形成されたテーパ断面溝１ｈに、ホルダ２’のガイド凸部２ｄが係合し、且つ支持面１ｃに支持凸部２ｅが当接することで、支持面１ｃに対してコリメートレンズ３の光軸が、後述する対物レンズ１０の光軸と一致するように位置決めされる。
【００４６】
ここで、当接部２ｂの表面（支持壁１ｃ’側の面）には、保持部材２０のばね部２０ｃが弾性変形しつつ当接するので、ばね部２０ｃが、ホルダ２を支持面１ｃに向かって付勢することにより（図１０参照）、コリメートレンズ３の光軸と、対物レンズ１０の光軸とは一致した状態に維持される。これにより、コリメートレンズ３の光軸方向の位置調整を行うためにホルダ２’を変位させたときも、両光軸のズレは生じない。コリメートレンズ３の位置調整後に、ホルダ２はハウジング１に接着固定される。
【００４７】
図１１は、第３の実施の形態を示す図２と同様な図である。本実施の形態においては、分岐手段としての青紫色用偏光ビームスプリッタ６が、第１半導体レーザ５からの光束の一部を通過させるようになっており、また、第２，第３半導体レーザからの光束の一部を反射させるようになっており、各光束が入射する位置にモニタ受光素子７を配置している。即ち、モニタ受光素子７は、立ち上げミラー４の背後に配置されていない。モニタ受光素子７を保持しつつハウジング１に接着される保持部材３０は、ホルダ２の当接部２ｂに当接して、ハウジング１に対して付勢するばね部３０ｃを有している。
【００４８】
図１０に示す実施の形態では、ガイド凸部２ｄがホルダ２’に設けられ、テーパ断面溝１ｈがハウジング１に設けられた構造としているが、これに限られない。図１２は、第４の実施の形態を示す図１０と同様な図である。本実施の形態において、ハウジング１の対向面１ｆ側には、図１０の実施の形態と同様な形状を有するガイド凸部１ｈ’と支持凸部１ｋとを形成している。ガイド凸部１ｈ’が、ホルダ２”の当接部２ｂの裏面（コリメートレンズ３から離れた面）に形成された、上下に延在するテーパ断面溝２ｄ’に係合し、また支持凸部１ｋが、当接部２ｂの裏面に当接することで、対向面１ｆに対してコリメートレンズ３の光軸が、対物レンズ１０の光軸と一致するように位置決めされる。尚、図１０以外の構成にも本実施の形態は適用可能である。
【００４９】
図１３は、第５の実施の形態を示す図１０と同様な図である。本実施の形態において、ハウジング１の対向面１ｆ側には、図１０の実施の形態と同様な形状を有するガイド凸部１ｈ’を形成している。ガイド凸部１ｈ’が、ホルダ２’”の当接部２ｂの裏面（コリメートレンズ３から離れた面）に形成された、上下に延在するテーパ断面溝２ｄ’に係合し、またホルダ２’”の支持凸部２ｅが、対向面１ｆに当接することで、対向面１ｆに対してコリメートレンズ３の光軸が、対物レンズ１０の光軸と一致するように位置決めされる。尚、図１０以外の構成にも本実施の形態は適用可能である。
【００５０】
図１４は、第６の実施の形態を示す図３と同様な図である。図１５は、図１４の構成の要部斜視図である。本実施の形態においては、ホルダ２の保持部２ａの開口内に、コリメートレンズ３の上方にλ／４波長板９を固定配置している。ここでは、コリメートレンズ３を、ホルダ２の保持部２ａの底面１ｂ側の面よりも突出させているので、コリメートレンズ３の位置調整時に、ホルダ２の当接部２ｂを最大限、底面１ｂ側に寄せた場合でも、コリメートレンズ３の光学面がハウジング１など他部品と干渉しないように、フランジ部に凸部３ａを形成したり、円形状の座繰り１ｎ等を設けることが望ましい。
【００５１】
更に、図１４、１５において、ホルダ２の当接部２ｂに水平方向に長い長孔２ｆを形成している。又、ホルダ２の当接部２ｂに対向して、ハウジング１に治具挿入開口１ｍを形成している。治具挿入開口１ｍには、外部から円筒状の治具Ｊを嵌合的に挿入可能となっている。円筒状の治具Ｊは、その先端に軸線に偏心してピンＪｐを植設している。
【００５２】
コリメートレンズ３の位置調整時には、治具Ｊを治具挿入開口１ｍに挿入して、ピンＪｐを長孔２ｆに係合させる。かかる状態で、治具Ｊを回転させると、ピンＪｐが長孔２ｆの側面を押圧して、ホルダ２と共にコリメートレンズ３を光軸方向（図１４，１５で上下方向）に変位させることができる。このとき、ピンＪｐは治具Ｊの回転角度に応じて、長孔２ｆ内で長手方向に変位することとなる。位置調整後に、ホルダ２はハウジング１に対して接着される。尚、図３以外の構成にも本実施の形態は適用可能である。
【００５３】
以上、本発明を実施の形態を参照して説明してきたが、本発明は上記実施の形態に限定して解釈されるべきではなく、適宜変更・改良が可能であることはもちろんである。例えば、保持部材は、受光素子の端子や配線を考慮すれば、一般的に用いられる板金部材を使用できることはいうまでもない。又、本発明は、HD DVD以外の光ディスク（例えばＢＤ）に対応する光ピックアップ装置にも適用可能である。
【図面の簡単な説明】
【００５４】
【図１】本実施の形態にかかる光ピックアップ装置を概略的に示す断面図である。
【図２】図１の構成をII-II線を含む面で切断して矢印方向に見た断面図である。
【図３】図１の光ピックアップ装置の矢印IIIで示す部位を拡大した図である。
【図４】図３の構成を矢印IV方向に見た図である。
【図５】ホルダと、保持部材と、モニタ受光素子とを分解して示す斜視図である。
【図６】本実施の形態の変形例を示す図である。
【図７】本実施の形態の別な変形例を示す図である。
【図８】第２の実施の形態を示す図３と同様な図である。
【図９】第２の実施の形態に用いるホルダの斜視図である。
【図１０】図８の構成を矢印X方向に見た図である。
【図１１】第３の実施の形態を示す図２と同様な図である。
【図１２】第４の実施の形態を示す図１０と同様な図である。
【図１３】第５の実施の形態を示す図１０と同様な図である。
【図１４】第６の実施の形態を示す図３と同様な図である。
【図１５】図１４の構成の要部斜視図である。
【符号の説明】
【００５５】
１ ハウジング
１ａ 凹部
１ｂ 底面
１ｃ 支持面
１ｃ’ 支持壁
１ｄ 主開口
１ｅ 副開口
１ｆ 対向面
１ｇ 段部
１ｈ テーパ断面溝
１ｊ 凹部
１ｈ’ガイド凸部
１ｋ  支持凸部
１ｍ  挿入治具開口
２、２’、２”、２’” ホルダ
２ａ 保持部
２ｂ 当接部
２ｃ 貫通開口
２ｄ ガイド凸部
２ｄ’テーパ断面溝
２ｅ 支持凸部
２ｆ 長孔
３ コリメートレンズ
４ 立ち上げミラー
５ 半導体レーザ
６ 青紫色用偏光ビームスプリッタ
７ モニタ受光素子
７ａ フレキシブル基板
９ λ／４波長板
１０ 対物レンズ
１１ 偏光ビームスプリッタ
１２ サーボレンズ
１３ 光検出器
１４ アクチュエータ
１５ パッケージ
１６ ＣＤ用回折格子
２０、２０’、２０” 保持部材
２０ａ ベース
２０ｂ 板部
２０ｃ ばね部
２０ｄ アーム
２０ｅ 矩形開口
３０ 保持部材
３０ｃ ばね部
Ｊ  治具
Ｊｐ  ピン
【図１】
2009087495.tif 000003
【図２】
2009087495.tif 000004
【図３】
2009087495.tif 000005
【図４】
2009087495.tif 000006
【図５】
2009087495.tif 000007
【図６】
2009087495.tif 000008
【図７】
2009087495.tif 000009
【図８】
2009087495.tif 000010
【図９】
2009087495.tif 000011
【図１０】
2009087495.tif 000012
【図１１】
2009087495.tif 000013
【図１２】
2009087495.tif 000014
【図１３】
2009087495.tif 000015
【図１４】
2009087495.tif 000016
【図１５】
2009087495.tif 000017